(57)【特許請求の範囲】
【請求項１】
タンク本体と、前記タンク本体が載置された基礎版と、前記基礎版の外周に沿って前記タンク本体を取り囲むように立設されたＰＣ防液堤と、を備えたＰＣタンクを構築する構築方法であって、
前記基礎版の外周に沿って円筒状周壁を立設し、
前記円筒状周壁の外周のうち、上端部または下端部の少なくとも一方を含む部位に前記外周から隙間をおいて型枠を配置し、当該隙間に繊維補強コンクリートまたは繊維補強モルタルを打設して補強部を予め前記円筒状周壁に設けられた定着部材を介して前記円筒状周壁と一体に設け、
前記円筒状周壁に挿通された周方向のＰＣ鋼材を緊張することで当該円筒状周壁にプレストレスを導入して前記ＰＣ防液堤とする
ことを特徴とするＰＣタンクの構築方法。
【請求項２】
タンク本体と、前記タンク本体が載置された基礎版と、前記基礎版の外周に沿って前記タンク本体を取り囲むように立設されたＰＣ防液堤と、を備えたＰＣタンクを構築する構築方法であって、
前記基礎版の外周に沿って円筒状周壁を立設する際、当該円筒状周壁の外周表面のうち、上端部のみ、下端部のみ、又は、上端部と下端部のみに、予め前記円筒状周壁に向けて定着部材を配置した状態でパネル状に形成された繊維補強コンクリートまたは繊維補強モルタルからなる補強部を、型枠の一部として配置した状態でコンクリートを打設して前記円筒状周壁を立設し、
前記円筒状周壁に挿通された周方向のＰＣ鋼材を緊張することで当該円筒状周壁にプレストレスを導入して前記ＰＣ防液堤とする
ことを特徴とするＰＣタンクの構築方法。
【請求項３】
タンク本体と、前記タンク本体が載置された基礎版と、前記基礎版の外周に沿って前記タンク本体を取り囲むように立設されたＰＣ防液堤と、を備えたＰＣタンクを構築する構築方法であって、
前記基礎版の外周に沿って円筒状周壁を立設し、
前記円筒状周壁の外周のうち、上端部または下端部の少なくとも一方を含む部位に、予め前記円筒状周壁に設けられたアンカーボルトに対応する取付孔を貫設した状態でパネル状に形成された繊維補強コンクリートまたは繊維補強モルタルからなる補強部を配置し、
前記補強部の取付孔に挿通された前記円筒状周壁の前記アンカーボルトを介した締結によって前記円筒状周壁と前記補強部とを一体化し、
前記円筒状周壁に挿通された周方向のＰＣ鋼材を緊張することで当該円筒状周壁にプレストレスを導入して前記ＰＣ防液堤とする
ことを特徴とするＰＣタンクの構築方法。
【請求項４】
タンク本体と、前記タンク本体が載置された基礎版と、前記基礎版の外周に沿って前記タンク本体を取り囲むように立設されたＰＣ防液堤と、を備えたＰＣタンクであって、
前記ＰＣ防液堤は、
前記基礎版の外周に沿って立設された円筒状周壁と、
繊維補強コンクリートまたは繊維補強モルタルからなり、前記円筒状周壁の外周表面のうち、上端部のみ、下端部のみ、又は、上端部と下端部のみに、当該円筒状周壁と一体に設けられた補強部と、
前記円筒状周壁の周方向に挿通され、緊張されて前記円筒状周壁にプレストレスを導入するＰＣ鋼材と、を備える
ことを特徴とするＰＣタンク。
【請求項５】
前記補強部は、前記円筒状周壁と一体化するための定着部材を当該円筒状周壁に向けて配置した状態で予めパネル状に形成されており、
前記円筒状周壁の外周のうち、上端部または下端部の少なくとも一方を含む部位に、型枠の一部として配置された状態で、前記円筒状周壁を形成する際に打設されたコンクリートと一体化されてなることを特徴とする請求項４に記載のＰＣタンク。
【請求項６】
前記補強部は、前記円筒状周壁に設けられた前記円筒状周壁と一体化するための定着部材に対応する取付孔を予め貫設した状態でパネル状に形成されており、
前記円筒状周壁の外周のうち、上端部または下端部の少なくとも一方を含む部位に、前記定着部材を前記取付孔に挿通させた状態で締結され、当該円筒状周壁と一体化されてなることを特徴とする請求項４に記載のＰＣタンク。
【発明の詳細な説明】
【技術分野】
【０００１】
本発明は、ＰＣタンクおよびその構築方法に関し、特に液化天然ガスを貯留するためのＰＣＬＮＧタンクに好適なＰＣタンクおよびその構築方法に関する。
【背景技術】
【０００２】
近年、液化天然ガス（以下、ＬＮＧと称す）を貯留するにあたり、敷地の有効利用や大容量化の観点から、外槽および内槽からなる金属二重殻式ＬＮＧタンクとその周囲に配置される防液堤とを一体化させると共に、当該防液堤をＰＣ（プレストレストコンクリート）製とすることで液密性を確保した施設であるＰＣＬＮＧタンク（以下、単にＰＣタンクと称す）が採用されている。
【０００３】
かかるＰＣ製の防液堤（以下、ＰＣ防液堤と称す）は、ＬＮＧタンクが載置される基礎版の外周縁部に立設されたコンクリート製の円筒状周壁に対し、周方向に沿って挿通されたＰＣ鋼材と、鉛直方向に沿って配置され下端部が直線状やＵ字状に曲折された形状で配設されたＰＣ鋼材とを配設した鉄筋コンクリートからなる。そして、これら周方向と鉛直方向のＰＣ鋼材が緊張されて定着されることで、円筒状周壁に周方向および鉛直方向のプレストレスが導入されるため、ＰＣ防液堤のひび割れを防止し、貯留中のＬＮＧが内槽から万一漏出した場合であっても、これを施設内にとどめることができるように液密性が確実に担保されている。
【０００４】
ここで、ＰＣ防液堤では、地震時の抵抗力を向上させるべく、下端側の基礎版や上端（頂部）側の屋根と剛接合されるが、この状態で当該ＰＣ防液堤に周方向の緊張力を導入した場合に、これらＰＣ防液堤の下端部近傍や上端部近傍で基礎版や屋根によって変形が拘束されることで、曲げモーメントが鉛直方向に沿って発生し、それに伴ってひび割れが生じるため、上述した周方向の緊張力のみならず、鉛直方向に沿った緊張力も併せて導入する必要があった。
【先行技術文献】
【特許文献】
【０００５】
【特許文献１】特許第５５１６９６３号公報
【発明の概要】
【発明が解決しようとする課題】
【０００６】
そこで、従来、特許文献１に記載されるように、ＰＣ防液堤の下端部や上端部に鉛直方向のＰＣ鋼材を集約して配置することで、これらＰＣ防液堤の下端部や上端部におけるひび割れの発生を有効に防止するＰＣタンクが開発されている。
【０００７】
しかしながら、この特許文献１のＰＣタンクでは、ＰＣ防液堤の上端部および下端部以外の中間部における鉛直方向のＰＣ鋼材の配設を廃止して無駄なプレストレスの導入を省略できるものの、それ以外のＰＣ防液堤の上端部および下端部にはＰＣ鋼材を集約して配設しているため、その分におけるＰＣ鋼材の設置作業が煩雑となると共に、材料コストが嵩むという問題があった。
【０００８】
本発明は、前述した事情に鑑みてなされたもので、ＰＣ鋼材に比べて安価な材料を用いることによって、低コスト且つ施工の容易化を図りつつ、ＰＣ防液堤における鉛直方向に沿った曲げモーメントによるひび割れの発生を効果的に防止可能とすることを目的とする。
【課題を解決するための手段】
【０００９】
上記目的を達成するため、本発明に係るＰＣタンクの構築方法は、
タンク本体と、前記タンク本体が載置された基礎版と、前記基礎版の外周に沿って前記タンク本体を取り囲むように立設されたＰＣ防液堤と、を備えたＰＣタンクを構築する構築方法であって、
前記基礎版の外周に沿って円筒状周壁を立設し、
前記円筒状周壁の外周のうち、上端部または下端部の少なくとも一方を含む部位に前記外周から隙間をおいて型枠を配置し、当該隙間に繊維補強コンクリートまたは繊維補強モルタルを打設して補強部を予め前記円筒状周壁に設けられた定着部材を介して前記円筒状周壁と一体に設け、
前記円筒状周壁に挿通された周方向のＰＣ鋼材を緊張することで当該円筒状周壁にプレストレスを導入して前記ＰＣ防液堤とすることを特徴とする。
【００１０】
また、本発明に係るＰＣタンクの構築方法は、
タンク本体と、前記タンク本体が載置された基礎版と、前記基礎版の外周に沿って前記タンク本体を取り囲むように立設されたＰＣ防液堤と、を備えたＰＣタンクを構築する構築方法であって、
前記基礎版の外周に沿って円筒状周壁を立設する際、当該円筒状周壁の外周表面のうち、上端部のみ、下端部のみ、又は、上端部と下端部のみに、予め前記円筒状周壁に向けて定着部材を配置した状態でパネル状に形成された繊維補強コンクリートまたは繊維補強モルタルからなる補強部を、型枠の一部として配置した状態でコンクリートを打設して前記円筒状周壁を立設し、
前記円筒状周壁に挿通された周方向のＰＣ鋼材を緊張することで当該円筒状周壁にプレストレスを導入して前記ＰＣ防液堤とすることを特徴とする。
【００１１】
さらに、本発明に係るＰＣタンクの構築方法は、
タンク本体と、前記タンク本体が載置された基礎版と、前記基礎版の外周に沿って前記タンク本体を取り囲むように立設されたＰＣ防液堤と、を備えたＰＣタンクを構築する構築方法であって、
前記基礎版の外周に沿って円筒状周壁を立設し、
前記円筒状周壁の外周のうち、上端部または下端部の少なくとも一方を含む部位に、予め前記円筒状周壁に設けられたアンカーボルトに対応する取付孔を貫設した状態でパネル状に形成された繊維補強コンクリートまたは繊維補強モルタルからなる補強部を配置し、
前記補強部の取付孔に挿通された前記円筒状周壁の前記アンカーボルトを介した締結によって前記円筒状周壁と前記補強部とを一体化し、
前記円筒状周壁に挿通された周方向のＰＣ鋼材を緊張することで当該円筒状周壁にプレストレスを導入して前記ＰＣ防液堤とすることを特徴とする。
【００１２】
また、本発明に係るＰＣタンクは、
タンク本体と、前記タンク本体が載置された基礎版と、前記基礎版の外周に沿って前記タンク本体を取り囲むように立設されたＰＣ防液堤と、を備えたＰＣタンクであって、
前記ＰＣ防液堤は、
前記基礎版の外周に沿って立設された円筒状周壁と、
繊維補強コンクリートまたは繊維補強モルタルからなり、前記円筒状周壁の外周表面のうち、上端部のみ、下端部のみ、又は、上端部と下端部のみに、当該円筒状周壁と一体に設けられた補強部と、
前記円筒状周壁の周方向に挿通され、緊張されて前記円筒状周壁にプレストレスを導入するＰＣ鋼材と、を備えることを特徴とする。
【００１３】
このとき、前記補強部は、前記円筒状周壁と一体化するための定着部材を当該円筒状周壁に向けて配置した状態で予めパネル状に形成されており、
前記円筒状周壁の外周のうち、上端部または下端部の少なくとも一方を含む部位に、型枠の一部として配置された状態で、前記円筒状周壁を形成する際に打設されたコンクリートと一体化されてなるようにしても良い。
【００１４】
さらに、前記補強部は、前記円筒状周壁に設けられた前記円筒状周壁と一体化するための定着部材に対応する取付孔を予め貫設した状態でパネル状に形成されており、
前記円筒状周壁の外周のうち、上端部または下端部の少なくとも一方を含む部位に、前記定着部材を前記取付孔に挿通させた状態で締結され、当該円筒状周壁と一体化されてなるようにしても良い。
【００１５】
本発明によれば、ＰＣ鋼材に比べて安価な繊維補強コンクリートまたは繊維補強モルタルからなる補強部を、鉛直方向の外側引張り曲げモーメントの発生する部位である、少なくとも上端部または下端部の一方かその両方の部位にピンポイントで設けることによって、低コスト且つ施工の容易化を図りつつ、ＰＣ防液堤における鉛直方向に沿った曲げモーメントによるひび割れの発生を効果的に防止できる。
【００１６】
このとき、補強部を、円筒状周壁の外周のうち、鉛直方向の曲げモーメントが発生する少なくとも上端部または下端部の一方かその両方の部位に型枠を置き、その間の隙間に繊維補強コンクリートまたは繊維補強モルタルを打設して形成したり、予めジベル筋やアンカーボルト等の定着部材を配置した状態でプレキャスト工法によってパネル状に形成しておき、円筒状周壁を打設する際の型枠の一部として配置したり、円筒状周壁に設けられる定着部材に対応する取付孔を貫設した状態で予めプレキャスト工法によってパネル状に形成したりすることで、施工の容易化を確保しつつ、円筒状周壁に対して強固に接合した状態で一体化できる。
【発明の効果】
【００１７】
本発明によれば、低コスト且つ施工の容易化を図りつつ、ＰＣ防液堤における鉛直方向に沿った曲げモーメントによるひび割れの発生を効果的に防止できる。
【図面の簡単な説明】
【００１８】
【図１】本実施形態に係るＰＣタンクを示し、（ａ）はその鉛直断面図であり、（ｂ）はそのＡ−Ａ線に沿う水平断面図である。
【図２】図１（ａ）のＰＣタンクにおける要部を拡大して示す鉛直断面図である。
【図３】図２のＰＣタンクにおける要部を示し、（ａ）はＡで示す部分を拡大して示す平面図であり、（ｂ）はＢで示す部分を拡大して示す平面図である。
【図４】本実施形態に係るＰＣタンクの構築方法の説明に供する鉛直断面図である。
【図５】変形例に係るＰＣタンクの要部を拡大して示す鉛直断面図である。
【図６】変形例に係るＰＣタンクの要部を拡大して示す鉛直断面図である。
【図７】変形例に係るＰＣタンクの構築方法の説明に供する鉛直断面図である。
【図８】変形例に係るＰＣタンクの構築方法の説明に供する鉛直断面図である。
【図９】変形例に係るＰＣタンクの下端部を拡大して示す鉛直断面図である。
【発明を実施するための形態】
【００１９】
以下、本発明に係るＰＣタンクおよびその構築方法の実施形態について、添付図面を参照しながら説明する。なお、本発明は、請求の範囲および明細書全体から読み取ることのできる発明の要旨または思想に反しない範囲で適宜変更可能であり、そのような変更を伴うＰＣタンクおよびその構築方法もまた本発明の技術思想に含まれる。
【００２０】
図１および図２に示すように、本実施形態に係るＰＣタンク１は、外槽２および内槽３からなるＬＮＧ貯留のためのタンク本体４と、タンク本体４が載置され、基礎杭Ｋによって支持されると共に、複数の基礎杭Ｋに剛結合される基礎版５と、基礎版５の外周に沿ってタンク本体４を取り囲むように立設された周方向にプレストレスが導入されたＰＣ防液堤６と、を有している。
【００２１】
タンク本体４の側部において、外槽２および内槽３の間には、粒状パーライト等からなる側部保冷材Ｑが介在されており、内槽３の側部保冷材Ｑ側表面にはグラスウール３１が設けられている。また、外槽２の側部保冷材Ｑ側表面には、冷熱抵抗緩和部（ＰＵＦ）２１が設けられている。
【００２２】
ここで、本実施形態の場合、ＰＣ防液堤６は、従来のＰＣ防液堤とは異なり、例えば図２に示す上端部Ａにおける鉛直方向に沿ったプレストレスを導入するためのＰＣ鋼材を挿通せずに構成してある。
【００２３】
具体的にＰＣ防液堤６は、図２および図３に示すように、基礎版５に立設するコンクリート製の円筒状周壁７の外周のうち、上端部Ａにおいて、従来のような鉛直方向のＰＣ鋼材に替えて繊維補強コンクリートまたは繊維補強モルタルからなる補強部８（図３（ａ）参照）が当該円筒状周壁７と一体に設けられている。また、ＰＣ防液堤６は、円筒状周壁７に挿通された周方向のＰＣ鋼材９と、円筒状周壁７の外周のうち、下端部Ｂに鉛直方向に配置された下部がＵ字状のＰＣ鋼材１０（図３（ｂ）参照）と、を備えており、全体として鉄筋コンクリートで構成されている。そして、周方向のＰＣ鋼材９と鉛直方向のＰＣ鋼材１０を緊張することで、円筒状周壁７に周方向と鉛直方向にプレストレスを導入すると共に、円筒状周壁７の上端部Ａにおける外周表面を補強部８によって補強することにより、液密性を担保したＰＣ防液堤６が構築されている。
【００２４】
なお、補強部８を形成する高強度繊維補強材１２は、圧縮強度の特性値が１５０Ｎ／ｍｍ2以上、ひび割れ発生強度の特性値が４Ｎ／ｍｍ2以上、引張強度の特性値が５Ｎ／ｍｍ2以上の性能を有した繊維補強コンクリートまたは繊維補強モルタルである。
【００２５】
ＰＣタンク１を構築するにはまず、基礎版５を基礎杭Ｋ上に構築すると共に、円筒状周壁７を基礎版５の外周に沿って立設する。円筒状周壁７を立設するには、基礎版５を構成する基部７０から円筒状周壁７の壁本体を上方に延設するようにすればよい。
【００２６】
このとき、コンクリート打設に先立ち、ＰＣ鋼材９を挿通するための周方向のシース管（不図示）やＰＣ鋼材１０を挿通するための鉛直方向のシース管（不図示）および鉄筋（不図示）を予め配置しておく。コンクリート打設後は、基礎版５と一体に円筒状周壁７の下面を構成する。
【００２７】
次に、図４に示すように、基部７０から上方に延設された円筒状周壁７の上端部Ａにおいて、補強部８の配設予定位置に予めジベル筋７１等の定着部材を補強部８側に向けて配置しておく。そして、この補強部８の配設予定位置である円筒状周壁７の外周に型枠１１を配置し、その間の隙間に高強度繊維補強材１２である繊維補強コンクリートまたは繊維補強モルタルを打設（３ｃｍ程度の薄肉断面の打設が可能）することで補強部８を形成する。
【００２８】
次に、円筒状周壁７にＰＣ鋼材９，１０を挿通し、次いで、これらＰＣ鋼材９，１０に緊張力を導入する。このようにすると、円筒状周壁７には、ＰＣ鋼材９，１０の緊張力に応じたプレストレス、例えば深さ方向に増加する液圧に抵抗できるような三角形状の分布でプレストレスが導入され、そのプレストレスの導入によって円筒状周壁７はＰＣ防液堤６として機能する。
【００２９】
以上説明したように、本実施形態に係るＰＣタンク１およびその構築方法によれば、基礎版５の外周に沿って円筒状周壁７を立設し、この円筒状周壁７の外周のうち、少なくとも上端部または下端部の一方かその両方の部位（この場合、上端部Ａ）に高強度繊維補強材１２としての繊維補強コンクリートまたは繊維補強モルタルを打設して補強部８を構築した。これにより、本実施形態に係るＰＣタンク１では、円筒状周壁７において従来必要であった鉛直方向のＰＣ鋼材１０に替えて、このＰＣ鋼材１０に比べて安価な繊維補強コンクリートまたは繊維補強モルタルからなる補強部８を、円筒状周壁７における鉛直方向の曲げモーメントの発生する部位である上端部Ａに設けることによって、低コスト且つ施工の容易化を図りつつ、ＰＣ防液堤６における鉛直方向に沿った曲げモーメントによるひび割れの発生を効果的に防止できる。
【００３０】
このように、従来においては必要不可欠であったＰＣ防液堤６への鉛直方向に沿ったプレストレス導入を不要とすることで、プレストレス導入に必要なシース管の鉛直配置やシース管へのＰＣ鋼材１０の挿入、その緊張作業等を省略し、ＰＣ防液堤６を短工期で構築することができる。
【００３１】
なお、前述した実施形態では、補強部８が、円筒状周壁７の外周のうち、図２に示す上端部Ａに鉛直方向のＰＣ鋼材１０に替えて当該円筒状周壁７と一体に設けられる場合について述べたが、一例であってこれに限らず、補強部８は、少なくとも図２に示す上端部Ａまたは下端部Ｂの一方かその両方の部位に設けられれば良い。
【００３２】
例えば、図２との対応部分に同一符号を付した図５または図６に示すように、補強部８を、円筒状周壁７の外周のうち、上端部Ａまたは下端部Ｂの両方の部位に設けるようにしても良い。このとき、補強部８は円筒状周壁７の外周表面と面一で配設されても良いし（図５）、円筒状周壁７の外周表面から突出して配設されても良い（図６）。いずれにせよ、円筒状周壁７の上端部Ａにおいて鉛直方向のＰＣ鋼材１０に替えて補強部８を設けることで、ここに配置されていたＰＣ鋼材１０を排除でき、更には、円筒状周壁７の下端部において補強部８を設ける分、ここに配置されている鉛直方向のＰＣ鋼材１０の量を削減できるので、材料コストを大幅に削減することができる。さらに、図示省略するが、円筒状周壁７の下端部Ｂにおいて鉛直方向の曲げモーメントに対応する強度の補強部８を設けることで、ここに配置されているＰＣ鋼材１０を完全に排除することができ、更なる材料コストの削減を図ることもできる。加えて、図示省略するが、円筒状周壁７の外周全体に、鉛直方向の曲げモーメントに対応する強度の補強部８を設け、上端部および下端部における鉛直方向のＰＣ鋼材１０を完全に排除するようにしても良い。この場合、従来、手間であった鉛直方向のＰＣ鋼材１０の配設作業をなくし、単純に補強部８を設ける簡単な施工のみとなる上、ＰＣ鋼材１０に比べて安価な繊維補強コンクリートまたは繊維補強モルタルからなる補強部８に置き換えることができるため、低コスト且つ施工の容易化を確保しつつ、ＰＣ防液堤６における鉛直方向に沿った曲げモーメントによるひび割れの発生防止を確保できる。
【００３３】
また、前述した実施形態では、補強部８を円筒状周壁７における外周のうちの上端部Ａに、補強部８の配置予定位置側に向けたジベル筋７１を予め配置すると共に型枠１１を置き、その間の隙間に高強度繊維補強材１２である繊維補強コンクリートまたは繊維補強モルタルを流し込んで打設形成される場合について述べたが、本発明はこれに限らない。
【００３４】
例えば、図７に示すように、補強部８を予めジベル筋８１等の定着部材を円筒状周壁７に向けて配置した状態でプレキャスト工法によってパネル状に形成しておき、当該パネル状の補強部８を、円筒状周壁７を形成する型枠（不図示）における補強部８の配設予定位置に、当該型枠の一部として配置する。そして、この状態でコンクリートを打設し、円筒状周壁７を形成する際に、当該円筒状周壁７と補強部８とをジベル筋８１を介して定着させて一体に設けるようにしても良い。
【００３５】
さらに、図４との対応部分に同一符号を付した図８に示すように、円筒状周壁７における補強部８の配設予定位置に、補強部８に向けたアンカーボルト７２等の定着部材を予め配設しておき、このアンカーボルト７２に対応する取付孔８ａを貫設した状態でプレキャスト工法によってパネル状に形成された補強部８を、円筒状周壁７における補強部８の配設予定位置に配置し、取付孔８ａを挿通したアンカーボルト７２にナット８２を締結することで円筒状周壁７に対し補強部８を一体化させて設けるようにしても良い。
【００３６】
このように、補強部８を、予めジベル筋８１を円筒状周壁７に向けて配置した状態でプレキャスト工法によってパネル化し、またはアンカーボルト７２に対応する取付孔８ａを設けた状態でプレキャスト工法によってパネル化し、円筒状周壁７を打設する際の型枠の一部として配置し、または円筒状周壁７に設けられるアンカーボルト７２とナット８２によって締結させることで、施工の容易化を確保しつつ、円筒状周壁７に対して強固に接合した状態で一体化できる。
【００３７】
また、前述した実施形態において、ＰＣ防液堤６は、円筒状周壁７における下端部Ｂの外周面が垂直に形成されている場合について図示したが、本発明はこれに限らず、例えば、図９に示すように、下端部の補強部８が基部７０に向かうに従い外方に向けて傾斜した形状で形成されていても良い。
【符号の説明】
【００３８】
１…ＰＣタンク，  ２…外槽，  ３…内槽，  ４…タンク本体，  ５…基礎版，  ６…ＰＣ防液堤，  ７…円筒状周壁，  ７０…基部，  ７１…ジベル筋（定着部材），  ７２…アンカーボルト（定着部材），  ８…補強部，  ８ａ…取付孔，  ８１…ジベル筋（定着部材），  ８２…ナット（定着部材），  ９…周方向のＰＣ鋼材，  １０…鉛直方向のＰＣ鋼材，  １１…型枠，  １２…高強度繊維補強材（繊維補強コンクリートまたは繊維補強モルタル），  Ｋ…杭
【図１】
0006753061.tif 000002
【図２】
0006753061.tif 000003
【図３】
0006753061.tif 000004
【図４】
0006753061.tif 000005
【図５】
0006753061.tif 000006
【図６】
0006753061.tif 000007
【図７】
0006753061.tif 000008
【図８】
0006753061.tif 000009
【図９】
0006753061.tif 000010